【手続補正書】
【提出日】令和3年3月12日(2021.3.12)
【手続補正１】
【補正対象書類名】特許請求の範囲
【補正対象項目名】全文
【補正方法】変更
【補正の内容】
【特許請求の範囲】
【請求項１】
一対のほぼ垂直な側部部材と、その内面に突出部が設けられた一体式基礎部を含み、外側ハウジング内に少なくとも部分的に配置されるローラーハウジングと、
ローラーハウジングに回転自在に連結される少なくとも一つのローラーホイールと、
ローラーハウジングと前記少なくとも一つのローラーホイールに対して移動自在であり、前記少なくとも一つのローラーホイールの回転軸に対して垂直方向に移動自在な外側ハウジングと、
外側ハウジングがローラーハウジングと前記少なくとも一つのローラーホイールに対して移動自在であり、前記少なくとも一つのローラーホイールの回転軸に対して垂直方向に移動自在であることと、
外側ハウジングが一対のほぼ垂直なシェル部材を備え、各シェル部材は垂直なシェル部材のそれぞれの主表面に対して垂直な平面を形成するように対向するシェル部材の方向に延びるフランジをその上端に有し、少なくともシェル部材のフランジの部分は外側ハウジングに取り付けられたパネルの荷重下で対向するシェル部材間の相対的な回転を阻止するように結合または固定され、そしてさらに外側ハウジングが垂直なシェル部材のフランジ間に外側ハウジングの長手方向軸の部分に沿って延びるスロットを備えることと、
ローラーハウジングおよび外側ハウジングに連結され、外側ハウジングの外から回転自在であり、外側ハウジングに取り付けられたパネルの荷重下で、複数の高さ位置における、ローラーハウジングに対する外側ハウジングを指標するように適合された回転自在な調節機構と
を備える、スライド式ドアローラーシステム。
【請求項２】
調節機構は回転自在な制御部と歯車に連結された非円形のカムを備え、制御部と回転自在に連通し、カムはローラーハウジングの垂直な側部部材に対して横軸に回転自在であり、複数の歯を含む周縁を有し、カムの歯はカムが回転することで複数の高さ位置においてローラーハウジングに対する外側ハウジングを指標するようにローラーハウジングの内面における突出部と協働する、請求項１に記載のスライド式ドアローラーシステム。
【請求項３】
カムの周縁はカム周縁に沿った第一の位置からカムの周縁に沿った第二の位置までに増加する半径を画定し、
第一の位置から第二の位置にかけてのカムの回転が外側ハウジングを内側ハウジングから離れるように指標し、
第二の位置から第一の位置にかけてのカムの回転が外側ハウジングを内側ハウジングに向かって指標する、請求項２に記載のスライド式ドアローラーシステム。
【請求項４】
調節機構の回転自在な制御部は外側ハウジングの少なくとも一部を通して延伸し、調節機構の制御部は外側ハウジングの外から回転自在であり、カムを回転させてローラーハウジングに対する外側ハウジングを指標する、請求項２に記載のスライド式ドアローラーシステム。
【請求項５】
ローラーハウジングは各側部部材の一部を通して延伸する垂直な溝を備え、カムが回転するとローラーハウジングに対する外側ハウジングが指標され、調節機構の制御部は溝内に伸びて移動自在となる、請求項２に記載のスライド式ドアローラーシステム。
【請求項６】
ローラーハウジングの側部部材は丸みを帯びた角を有する鈍角の三角形を画定する、請求項２に記載のスライド式ドアローラーシステム。
【請求項７】
各内側ハウジングの側部部材の鈍角の角から始まり、斜辺の方向に伸びる凹状の溝を更に備え、カムが回転するとローラーハウジングに対する外側ハウジングが指標され、調節機構の制御部は溝内に伸びて移動自在となる、請求項６に記載のスライド式ドアローラーシステム。
【請求項８】
ローラーハウジングの内面の突出部はパネルの荷重が掛かっている間にカムの回転を抑止する回り止めとして作用する、請求項２に記載のスライド式ドアローラーシステム。
【請求項９】
調節機構の回転自在な制御部は垂直シェル部材のそれぞれの主表面に設けられた開口部を通して延伸し、制御部は外側ハウジングの外から回転自在であり、カムと歯車を回転させてローラーハウジングに対する外側ハウジングを指標する、請求項１に記載のスライド式ドアローラーシステム。
【請求項１０】
一対のほぼ垂直な側部部材と、その内面に突出部が設けられた一体式基礎部とを含み、外側ハウジング内に少なくとも部分的に配置されるローラーハウジングと、
外側ハウジング内において回転自在に取り付けられる少なくとも一つのローラーホイールであって、前記ローラーホイールの円周に外溝と外溝内に内溝を備え、内溝は外溝から所定距離差し込まれ、かつ、外溝よりも小さい直径を有するローラーホイールと、
ローラーハウジングと前記少なくとも一つのローラーホイールに対して移動自在であり、前記少なくとも一つのローラーホイールの回転軸に対して垂直方向に移動自在な外側ハウジングと、
ローラーハウジングおよび外側ハウジングに連結され、外側ハウジングの外から回転自在であり、外側ハウジングに取り付けられたパネルの荷重下で、複数の高さ位置における、ローラーハウジングに対する外側ハウジングを指標するように適合された回転自在な調節機構と
を備える、スライド式ドアローラーシステム。
【請求項１１】
少なくとも一つのローラーホイールは外溝に沿ってのみトラックやレールと係合するように適合され、パネルの荷重を外向きに分散し、荷重を外溝に沿って集中させる、請求項１０に記載のスライド式ドアローラーシステム。
【請求項１２】
一対のほぼ垂直な側部部材とその内面に突出部が設けられた一体式基礎部とを含むローラーハウジングが、外側ハウジング内に少なくとも部分的に配置される工程と、
ローラーハウジングに回転自在に連結された少なくとも１つのローラーホイールが、ローラーホイールの周縁の外溝と外溝内の内溝とを備え、内溝は外溝から所定距離差し込まれ、かつ、外溝の直径よりも小さい直径を有する工程と、
外側ハウジングが、ローラーハウジングと前記少なくとも一つのローラーホイールに対して移動自在であり、前記少なくとも一つのローラーホイールの回転軸に対して垂直方向に移動自在である工程と、
回転自在な調節機構が、ローラーハウジングおよび外側ハウジングに連結され、外側ハウジングの外から回転自在であり、外側ハウジングに取り付けられたパネルの荷重下で複数の高さ位置におけるローラーハウジングに対する外側ハウジングを指標するように適合される工程と、
パネルを外側ハウジングの上面に固定する工程と、
ローラーハウジングに対する外側ハウジングを第一の高さ位置から第一の高さ位置とは異なる第二の高さ位置に指標するように外側ハウジングの外から調節機構を回転させる工程と
を含む、スライド式ドアローラーシステムの操作方法。
【請求項１３】
調節機構は回転自在な制御部と歯車に連結された非円形のカムを備え、制御部と回転自在に連通し、カムはローラーハウジングの垂直な側部に対して横軸に回転自在であり、複数の歯を含む周縁を有し、カムの歯はカムが回転することで複数の高さ位置においてローラーハウジングに対する外側ハウジングを指標するようにローラーハウジングの内面における突出部と協働し、調節機構を回転させる工程は更に調節部とカムを回転させてローラーハウジングに対する外側ハウジングを指標する、請求項１２に記載のスライド式ドアローラーシステムの操作方法。
【請求項１４】
カムの周縁はカム周縁に沿った第一の位置からカムの周縁に沿った第二の位置までに増加する半径を画定し、
第一の位置から第二の位置にかけてのカムの回転が外側ハウジングを内側ハウジングから第二の高さ位置に離れるように指標をし、第二の高さ位置は第一の高さ位置より高くなり、
第二の位置から第一の位置にかけてのカムの回転が外側ハウジングを内側ハウジングの方向である第二の高さ位置に向かって指標し、第二の高さ位置は第一の高さ位置よりも低くなる、請求項１３に記載のスライド式ドアローラーシステムの操作方法。
【請求項１５】
調節機構の回転自在な制御部は外側ハウジングの少なくとも一部を通して延伸し、調節機構の制御部は外側ハウジングの外から回転自在であり、カムを回転させてローラーハウジングに対する外側ハウジングを指標する、請求項１３に記載のスライド式ドアローラーシステムの操作方法。
【請求項１６】
ローラーハウジングは各側部部材の一部を通して延伸する垂直な溝を備え、カムが回転するとローラーハウジングに対する外側ハウジングが指標され、調節機構の制御部は溝内に伸びて移動自在となる、請求項１３に記載のスライド式ドアローラーシステムの操作方法。
【請求項１７】
ローラーハウジングの内面の突出部はパネルの荷重が掛かっているときカムの回転を抑止する回り止めとして作用し、
一又はそれ以上のカムの歯をローラーハウジングの内面の突出部と係合することで、ローラーハウジングに対する任意の高さ位置に外側ハウジングを固定する
工程を更に備える、請求項１３に記載のスライド式ドアローラーシステムの操作方法。
【請求項１８】
スライド式ドアローラーシステムがトラックまたはレールに沿って移動するときに、少なくとも一つのローラーホイールの外溝に沿ってのみトラックまたはレールを係合し、
パネルの荷重を外向きに分散し、荷重を外溝に沿って集中させる工程
を更に備える、請求項１３に記載のスライド式ドアローラーシステムの操作方法。